(57)【要約】【課題】ユーザが所望する過去に撮影された画像と同じような雰囲気の画像を撮影する機会をユーザに提供することができるようにする。【解決手段】情報端末装置は、１つ以上の撮影画像を表示する表示部と、表示部に表示された１つ以上の撮影画像の中から選択された１つの撮影画像に付帯する撮影情報を取得する撮影情報取得部と、位置情報を取得する位置情報取得部と、撮影情報と位置情報に基づいて過去の環境変化情報と未来の環境変化情報を外部から取得する通信部と、過去の環境変化情報と未来の環境変化情報を比較する比較部と、比較部による比較の結果に基づいて撮影機会を通知する通知部と、を備える。【選択図】図１
2017220826.tif 000002
【特許請求の範囲】
【請求項１】
情報端末装置であって、
１つ以上の撮影画像を表示する表示部と、
前記表示部に表示された１つ以上の撮影画像の中から選択された１つの撮影画像に付帯する撮影情報を取得する撮影情報取得部と、
位置情報を取得する位置情報取得部と、
前記撮影情報と前記位置情報に基づいて過去の環境変化情報と未来の環境変化情報を外部から取得する通信部と、
前記過去の環境変化情報と前記未来の環境変化情報を比較する比較部と、
前記比較部による比較の結果に基づいて撮影機会を通知する通知部と、
を備えることを特徴とする情報端末装置。
【請求項２】
前記通信部は、更に、前記位置情報取得部により取得された位置情報に基づいて現在の環境変化情報を外部から取得する、
ことを特徴とする請求項１記載の情報端末装置。
【請求項３】
前記比較部は、前記過去の環境変化情報と前記未来の環境変化情報を長い時間間隔で時系列に比較し、前記過去の環境変化情報と前記未来の環境変化情報が一致又は類似する場合は、前記過去の環境変化情報と前記現在の環境変化情報をリアルタイムに短い時間間隔で時系列に比較する、
ことを特徴とする請求項２記載の情報端末装置。
【請求項４】
前記表示部に表示された１つ以上の撮影画像の中から１つの撮影画像を選択する選択部を更に備え、
前記１つ以上の撮影画像は、当該情報端末装置に記憶されている撮影画像及び外部から取得された撮影画像の一方又は両方であり、
前記撮影情報取得部は、前記選択部により選択された１つの撮影画像に付帯する撮影情報を取得する、
ことを特徴とする請求項１記載の情報端末装置。
【請求項５】
前記撮影情報取得部は、前記選択された１つの撮影画像に付帯する撮影情報として、当該撮影画像の撮影日時及び撮影位置に関する情報を取得する、
ことを特徴とする請求項１記載の情報端末装置。
【請求項６】
前記位置情報取得部は、当該情報端末装置の現在位置又は指定された位置の位置情報を取得する、
ことを特徴とする請求項１記載の情報端末装置。
【請求項７】
前記環境変化情報は、天候、気温、降水量、湿度、風速、及び風向のうちの少なくとも１つに関する気象情報を含む、
ことを特徴とする請求項１記載の情報端末装置。
【請求項８】
前記通信部は、取得した過去の環境変化情報における環境変化間隔に応じて、未来の環境変化情報として取得する時系列の環境情報の時間間隔を変更する、
ことを特徴とする請求項１記載の情報端末装置。
【請求項９】
情報端末装置の撮影機会提供方法であって、
１つ以上の撮影画像を表示し、
前記表示した１つ以上の撮影画像の中から選択された１つの撮影画像に付帯する撮影情報を取得し、
位置情報を取得し、
前記撮影情報及び前記位置情報に基づいて過去の環境変化情報と未来の環境変化情報を外部から取得し、
前記過去の環境変化情報と前記未来の環境変化情報を比較し、
前記比較の結果に基づいて撮影機会を通知する、
ことを特徴とする撮影機会提供方法。
【請求項１０】
情報端末装置のコンピュータに、
１つ以上の撮影画像を表示する表示機能と、
前記表示機能により表示された１つ以上の撮影画像の中から選択された１つの撮影画像に付帯する撮影情報を取得する撮影情報取得機能と、
位置情報を取得する位置情報取得機能と、
前記撮影情報及び前記位置情報に基づいて過去の環境変化情報と未来の環境変化情報を外部から取得する通信機能と、
前記過去の環境変化情報と前記未来の環境変化情報を比較する比較機能と、
前記比較機能による比較の結果に基づいて撮影機会を通知する通知機能と、
を実現させるためのプログラム。
【発明の詳細な説明】
【技術分野】
【０００１】
本発明は、情報端末装置、情報端末装置の撮影機会提供方法、及び情報端末装置で実行されるプログラムに関する。
【背景技術】
【０００２】
カメラユーザは、撮影する際、ユーザ自身が過去に撮影した画像（写真）や他人が撮影した画像等を参考にすることがある。この場合、その画像の撮影時の天候（天気）を参考にすることも多い。
【０００３】
しかしながら、撮影される画像は、撮影時の天候だけでなく、撮影時までにどのように天候が変化したかによっても雰囲気が変わる。例えば、同じ晴れの時に撮影された画像であっても、晴れ続きの晴れの時に撮影された画像と雨上がりの晴れの時に撮影された画像とでは雰囲気が大きく異なる。
【０００４】
そのため、参考にする画像の撮影時の天候と同じ天候で撮影しても、同じような雰囲気の画像を撮影できないことがある。
天候を考慮して撮影を行う装置としては、撮影時に天気情報を取得し、その天気情報が示す天気を反映させた画像が得られるように撮影条件を設定して撮影を行うようにした撮像装置が知られている（例えば特許文献１参照）。このように、この撮像装置では撮影時の天候を考慮して撮影が行われている。
【先行技術文献】
【特許文献】
【０００５】
【特許文献１】特開２０１４−２１６６８５号公報
【発明の概要】
【発明が解決しようとする課題】
【０００６】
ユーザは、過去に撮影された画像を参考にして撮影を行う場合、その画像の撮影時の天候については考慮するものの、その画像の撮影時までの天候変化については考慮していない。そのため、ユーザは、参考にした画像と同じような雰囲気の画像を撮影したいと思っていても、その撮影機会を逸していた。
【０００７】
本発明は、上記実状に鑑み、ユーザが所望する過去に撮影された画像と同じような雰囲気の画像を撮影する機会をユーザに提供することができる撮像装置、撮影機会提供方法、及びプログラムを提供することを目的とする。
【課題を解決するための手段】
【０００８】
本発明の第１の態様は、情報端末装置であって、１つ以上の撮影画像を表示する表示部と、前記表示部に表示された１つ以上の撮影画像の中から選択された１つの撮影画像に付帯する撮影情報を取得する撮影情報取得部と、位置情報を取得する位置情報取得部と、前記撮影情報と前記位置情報に基づいて過去の環境変化情報と未来の環境変化情報を外部から取得する通信部と、前記過去の環境変化情報と前記未来の環境変化情報を比較する比較部と、前記比較部による比較の結果に基づいて撮影機会を通知する通知部と、を備える情報端末装置を提供する。
【０００９】
本発明の第２の態様は、第１の態様において、前記通信部は、更に、前記位置情報取得部により取得された位置情報に基づいて現在の環境変化情報を外部から取得する、情報端末装置を提供する。
【００１０】
本発明の第３の態様は、第２の態様において、前記比較部は、前記過去の環境変化情報と前記未来の環境変化情報を長い時間間隔で時系列に比較し、前記過去の環境変化情報と前記未来の環境変化情報が一致又は類似する場合は、前記過去の環境変化情報と前記現在の環境変化情報をリアルタイムに短い時間間隔で時系列に比較する、情報端末装置を提供する。
【００１１】
本発明の第４の態様は、第１の態様において、前記表示部に表示された１つ以上の撮影画像の中から１つの撮影画像を選択する選択部を更に備え、前記１つ以上の撮影画像は、当該情報端末装置に記憶されている撮影画像及び外部から取得された撮影画像の一方又は両方であり、前記撮影情報取得部は、前記選択部により選択された１つの撮影画像に付帯する撮影情報を取得する、情報端末装置を提供する。
【００１２】
本発明の第５の態様は、第１の態様において、前記撮影情報取得部は、前記選択された１つの撮影画像に付帯する撮影情報として、当該撮影画像の撮影日時及び撮影位置に関する情報を取得する、情報端末装置を提供する。
【００１３】
本発明の第６の態様は、第１の態様において、前記位置情報取得部は、当該情報端末装置の現在位置又は指定された位置の位置情報を取得する、情報端末装置を提供する。
【００１４】
本発明の第７の態様は、第１の態様において、前記環境変化情報は、天候、気温、降水量、湿度、風速、及び風向のうちの少なくとも１つに関する気象情報を含む、情報端末装置である。
【００１５】
本発明の第８の態様は、第１の態様において、前記通信部は、取得した過去の環境変化情報における環境変化間隔に応じて、未来の環境変化情報として取得する時系列の環境情報の時間間隔を変更する、情報端末装置である。
【００１６】
本発明の第９の態様は、情報端末装置の撮影機会提供方法であって、１つ以上の撮影画像を表示し、前記表示した１つ以上の撮影画像の中から選択された１つの撮影画像に付帯する撮影情報を取得し、位置情報を取得し、前記撮影情報及び前記位置情報に基づいて過去の環境変化情報と未来の環境変化情報を外部から取得し、前記過去の環境変化情報と前記未来の環境変化情報を比較し、前記比較の結果に基づいて撮影機会を通知する、撮影機会提供方法を提供する。
【００１７】
本発明の第１０の態様は、情報端末装置のコンピュータに、１つ以上の撮影画像を表示する表示機能と、前記表示機能により表示された１つ以上の撮影画像の中から選択された１つの撮影画像に付帯する撮影情報を取得する撮影情報取得機能と、位置情報を取得する位置情報取得機能と、前記撮影情報及び前記位置情報に基づいて過去の環境変化情報と未来の環境変化情報を外部から取得する通信機能と、前記過去の環境変化情報と前記未来の環境変化情報を比較する比較機能と、前記比較機能による比較の結果に基づいて撮影機会を通知する通知機能と、を実現させるためのプログラムを提供する。
【発明の効果】
【００１８】
本発明によれば、ユーザが所望する過去に撮影された画像と同じような雰囲気の画像を撮影する機会をユーザに提供することができる、という効果を奏する。
【図面の簡単な説明】
【００１９】
【図１】一実施の形態に係る情報端末装置であるカメラの構成例を示す図である。
【図２Ａ】一実施の形態に係るカメラが行う撮影機会提供動作の一例を示すフローチャート（その１）である。
【図２Ｂ】一実施の形態に係るカメラが行う撮影機会提供動作の一例を示すフローチャート（その２）である。
【図３】Ｓ１１２の判定において行われる比較の一例を説明する図である。
【図４】数値化される項目とその分類の一例を示す図である。
【発明を実施するための形態】
【００２０】
以下、図面を参照しながら、本発明の実施の形態について説明する。
図１は、本発明の一実施の形態に係る情報端末装置であるカメラの構成例を示す図である。なお、このカメラは、レンズ交換式のカメラであるが、レンズ一体式のカメラであってもよい。
【００２１】
図１に示したように、カメラ１は、交換式レンズ１０とカメラ本体２０を含み、交換式レンズ１０がカメラ本体２０に対して着脱自在に構成されている。交換式レンズ１０がカメラ本体２０に装着されると、交換式レンズ１０とカメラ本体２０は、Ｉ／Ｆ（interface）３０を介して通信を行うことができる。Ｉ／Ｆ３０は、例えば、交換式レンズ１０とカメラ本体２０の各々に設けられた電気接点であり、交換式レンズ１０がカメラ本体２０に装着されると両者の電気接点が接続される構成になっている。
【００２２】
交換式レンズ１０は、撮影レンズ１０１、絞り１０２、ドライバ１０３、マイクロコンピュータ１０４、及びＦｌａｓｈメモリ１０５を含む。
撮影レンズ１０１は、図示しない被写体からの光束をカメラ本体２０内の撮像素子２０２に集光するための光学系であり、合焦用レンズ（フォーカスレンズともいう）を含む。なお、撮影レンズ１０１は、ズームレンズを含んでいてもよい。
【００２３】
絞り１０２は、開閉自在に構成され、撮影レンズ１０１を介して入射した光束の量を調整する。
ドライバ１０３は、モータ等を有し、マイクロコンピュータ１０４の制御の下に、撮影レンズ１０１内の合焦用レンズをその光軸方向に駆動（移動）させたり、絞り１０２を開閉駆動させたりする。
【００２４】
マイクロコンピュータ１０４は、Ｆｌａｓｈメモリ１０５に記憶されているプログラムを実行することにより、交換式レンズ１０の動作を制御する。例えば、マイクロコンピュータ１０４は、カメラ本体２０内のマイクロコンピュータ２１１の制御の下に、撮影レンズ１０１内の合焦用レンズの駆動制御や、絞り１０２の開閉駆動制御等を行う。
【００２５】
Ｆｌａｓｈメモリ１０５は、マイクロコンピュータ１０４により実行されるプログラムや、そのプログラムの実行中に使用されるデータ等が記憶される。
カメラ本体２０は、メカシャッタ２０１、撮像素子２０２、アナログ処理部２０３、Ａ／Ｄ（Analog/Digital）変換部２０４、画像処理部２０５、ＡＥ（Auto Exposure）処理部２０６、ＡＦ（Auto Focus）処理部２０７、ＪＰＥＧ処理部２０８、位置情報取得部２０９、通信部２１０、マイクロコンピュータ２１１、Ｆｌａｓｈメモリ２１２、操作部２１３、ＳＤＲＡＭ（Synchronous Dynamic Random Access Memory）２１４、メモリＩ／Ｆ２１５、記録媒体２１６、モニタドライバ２１７、モニタ２１８、比較部２１９、通知部２２０、及びバス２２１を含む。
【００２６】
メカシャッタ２０１は、撮像素子２０２の光電変換面を遮光状態又は露出状態とするように移動自在に構成されている。このメカシャッタ２０１を移動させることにより撮像素子２０２の露光時間が調整される。なお、メカシャッタ２０１は、例えばフォーカルプレーンシャッタである。
【００２７】
撮像素子２０２は、撮影レンズ１０１を介して集光された被写体からの光束が結像される光電変換面を有する。光電変換面は、複数の画素が２次元状に配置されて構成されている。また、光電変換面の光入射側には、例えばベイヤ配列のカラーフィルタが設けられている。このような撮像素子２０２は、光電変換面に結像された光束に対応した像（被写体像）を、その光量に応じた電気信号（以下、画像信号という）に変換して出力する。なお、撮像素子２０２は、例えば、ＣＣＤ（Charge Coupled Device）やＣＭＯＳ（Complementary Metal Oxide Semiconductor）等のイメージセンサである。
【００２８】
アナログ処理部２０３は、撮像素子２０２から出力された画像信号に対してＣＤＳ（Correlated double sampling：相関二重サンプリング）処理やＡＧＣ（Automatic Gain Control：自動利得制御）処理等のアナログ処理を行う。
【００２９】
Ａ／Ｄ変換部２０４は、アナログ処理部２０３においてアナログ処理された画像信号をデジタル信号（以下、画像データという）に変換する。
画像処理部２０５は、ＷＢ（White Balance）補正部２０５１、同時化処理部２０５２、階調補正処理部２０５３、色再現処理部２０５４、及びＮＲ（Noise Reduction）処理部２０５５を含み、画像データに対して各種の画像処理を行う。
【００３０】
ＷＢ補正部２０５１は、画像データに対して、ホワイトバランスを補正する処理を行う。同時化処理部２０５２は、例えばベイヤ配列による画像データから、１画素あたりＲ、Ｇ、Ｂの情報からなる画像データへ同時化する処理を行う。階調補正処理部２０５３は、画像の階調を補正する処理を行う。色再現処理部２０５４は、画像の色味を変化させる色再現処理を行う。ＮＲ処理部２０５５は、高周波を低減するフィルタを用いた処理や、コアリング処理等により、ノイズを低減する処理を行う。
【００３１】
ＡＥ処理部２０６は、画像データを用いて被写体輝度を算出する。なお、被写体輝度は、画像データから算出するだけでなく、例えば専用の測光センサで測定するようにしてもよい。
【００３２】
ＡＦ処理部２０７は、画像データから高周波成分の信号を取り出し、取り出した高周波成分の信号を積算してＡＦ用の合焦評価値を取得する。
ＪＰＥＧ処理部２０８は、画像データに対するＪＰＥＧ圧縮処理や、ＪＰＥＧ圧縮されている画像データに対してＪＰＥＧ伸張処理を行う。
【００３３】
位置情報取得部２０９は、カメラ１の現在位置や操作部２１３を介してユーザにより指定された位置等の位置情報を取得する。なお、カメラ１の現在位置の位置情報は、例えば、ＧＰＳ（Global Positioning System）を利用して、又は、通信部２１０が外部と通信する際に利用される基地局の位置情報を利用して、取得される。また、ユーザにより指定された位置の位置情報は、例えば、図示しない位置情報提供サーバーから通信部２１０及びネットワーク２を介して取得される。位置情報提供サーバーは、位置情報を提供するサーバーである。ネットワーク２は、例えばインターネットである。
【００３４】
通信部２１０は、ネットワーク２を介して、気象情報提供サーバー３や位置情報提供サーバー等の外部と通信を行う。気象情報提供サーバー３は、過去、現在、及び未来の天候、気温、降水量、湿度、風速、及び風向等の気象情報を提供するサーバーである。例えば、通信部２１０は、気象情報提供サーバー３と通信を行って、過去、現在、及び未来の気象変化情報を取得する。なお、気象変化情報は、気象変化を表す時系列の気象情報であり、環境変化情報の一例である。
【００３５】
マイクロコンピュータ２１１は、Ｆｌａｓｈメモリ２１２に記憶されているプログラムを実行することにより、カメラ１（交換式レンズ１０及びカメラ本体２０）の動作を制御する。例えば、マイクロコンピュータ２１１は、図２Ａ及び図２Ｂを用いて後述する撮影機会提供動作を制御する。
【００３６】
Ｆｌａｓｈメモリ２１２は、マイクロコンピュータ２１１により実行されるプログラムや、そのプログラムの実行中に使用されるデータ等が記憶される。
操作部２１３は、ユーザがカメラ１に対して各種の入力を行う際に操作される操作部材である。なお、操作部２１３は、その一部又は全部をタッチパネルによって操作される仮想的な操作部として構成してもよい。
【００３７】
ＳＤＲＡＭ２１４は、ワークエリア等として使用されるメモリであり、例えば処理中のデータ（画像データ等）が一時的に格納される。
メモリＩ／Ｆ２１５は、マイクロコンピュータ２１１等が記録媒体２１６にアクセスするためのインターフェースである。
【００３８】
記録媒体２１６は、カメラ本体２０に対して着脱自在のメモリカードである。この記録媒体２１６は、画像ファイル等を記録する。画像ファイルは、例えば、ＪＰＥＧ処理部２０８によってＪＰＥＧ圧縮された画像データに、ヘッダ情報を付加したファイルである。なお、記録媒体２１６は、カメラ本体２０に内蔵されていても良い（着脱できなくても良い）。
【００３９】
モニタドライバ２１７は、画像データ等を映像信号に変換してモニタ２１８へ出力する。
モニタ２１８は、例えば液晶ディスプレイ（ＬＣＤ）であって、モニタドライバ２１７から入力された映像信号に応じた映像を表示する。例えば、モニタ２１８は、１つ以上の撮影画像（過去に撮影された画像）を表示する。
【００４０】
比較部２１９は、図２Ａ及び図２Ｂを用いて後述するように、気象変化情報の比較を行う。
通知部２２０は、図２Ａ及び図２Ｂを用いて後述するように、比較部２１９による比較の結果に基づいて撮影機会をユーザに通知する。なお、通知部２２０による通知は、例えば、モニタ２１８への表示により行われる。
【００４１】
バス２２１は、カメラ本体２０内において各種のデータを転送する転送路である。
このような構成のカメラ１において、モニタ２１８は、１つ以上の撮影画像を表示する表示部の一例である。マイクロコンピュータ２１１の一部の機能は、表示部に表示された１つ以上の撮影画像の中から選択された１つの撮影画像に付帯する撮影情報を取得する撮影情報取得部の一例である。位置情報取得部２０９は、位置情報を取得する位置情報取得部の一例である。通信部２１０は、撮影情報と位置情報に基づいて過去の環境変化情報と未来の環境変化情報を外部から取得する通信部の一例である。比較部２１９は、過去の環境変化情報と未来の環境変化情報を比較する比較部の一例である。通知部２２０は、比較部による比較の結果に基づいて撮影機会を通知する通知部の一例である。
【００４２】
次に、カメラ１が行う撮影機会提供動作について説明する。
この撮影機会提供動作では、ユーザが所望の撮影画像を選択すると、その撮影画像と同じような雰囲気の画像を撮影する機会をユーザに通知する、等といった動作が行われる。
【００４３】
図２Ａ及び図２Ｂは、その撮影機会提供動作の一例を示すフローチャートである。
図２Ａに示したように、本動作では、まず、マイクロコンピュータ２１１が、ユーザによる操作部２１３の操作に応じて、１つ以上の撮影画像の中から１つの撮影画像を選択する（Ｓ１０１）。このときのユーザの操作は、モニタ２１８に表示されている１つ以上の撮影画像の中から、ユーザが撮影したいと思う雰囲気の撮影画像を１つ選択するための操作である。ここで、モニタ２１８に表示されている１つ以上の撮影画像は、例えば、記録媒体２１６に記録されている撮影画像ファイルの撮影画像データが表す撮影画像、及び、通信部２１０及びネットワーク２を介して外部から取得された撮影画像データが表す撮影画像のうちの一方又は両方である。
【００４４】
続いて、マイクロコンピュータ２１１は、ユーザによる操作部２１３の操作に応じて、検索対象日時及び検索対象位置を決定する（Ｓ１０２）。このときのユーザの操作は、ユーザが検索対象日時及び検索対象位置を指定するための操作である。例えば、ユーザが検索対象位置を指定するための操作を行うと、その操作に応じて位置情報取得部２０９が位置情報提供サーバーから対応する位置情報を通信部２１０及びネットワーク２を介して取得し、その位置情報が表す位置が検索対象位置として決定される。
【００４５】
続いて、マイクロコンピュータ２１１は、Ｓ１０１で選択された撮影画像の撮影時までの（撮影時前から撮影時までの）気象変化情報Ａを取得する処理を行う（Ｓ１０３乃至Ｓ１０６）。
【００４６】
より詳しくは、まず、マイクロコンピュータ２１１が、Ｓ１０１で選択された撮影画像に気象変化情報が付帯されているか否かを判定する（Ｓ１０３）。なお、この判定は、例えば、Ｓ１０１で選択された撮影画像を表す撮影画像データに付加されているヘッダ情報に気象変化情報が含まれているか否かを判定することによって行われる。
【００４７】
Ｓ１０３の判定結果がＹｅｓの場合、マイクロコンピュータ２１１は、Ｓ１０１で選択された撮影画像に付帯されている気象変化情報を気象変化情報Ａとして取得する（Ｓ１０４）。
【００４８】
一方、Ｓ１０３の判定結果がＮｏの場合、マイクロコンピュータ２１１は、Ｓ１０１で選択された撮影画像に付帯されている撮影日時及び撮影位置に関する情報を取得する（Ｓ１０５）。なお、この取得は、例えば、Ｓ１０１で選択された撮影画像を表す撮影画像データに付加されているヘッダ情報に含まれる撮影日時及び撮影位置に関する情報を取得することにより行われる。
【００４９】
続いて、マイクロコンピュータ２１１は、Ｓ１０５で取得された撮影日時及び撮影位置に関する情報に基づいて、Ｓ１０１で選択された撮影画像の撮影時までの気象変化情報Ａを、気象情報提供サーバー３から通信部２１０及びネットワーク２を介して取得する（Ｓ１０６）。
【００５０】
Ｓ１０４又はＳ１０６の後は、マイクロコンピュータ２１１が、今現在以降（未来）の気象変化情報Ｂとして取得する時系列の気象情報の時間間隔を決定する処理を行う（Ｓ１０７乃至Ｓ１０９）。
【００５１】
より詳しくは、まず、マイクロコンピュータ２１１が、Ｓ１０４又はＳ１０６で取得された気象変化情報Ａが表す気象変化が、短い時間間隔で変化する気象変化であるか否かを判定する（Ｓ１０７）。
【００５２】
Ｓ１０７の判定結果がＹｅｓの場合、マイクロコンピュータ２１１は、気象変化情報Ｂとして取得する時系列の気象情報の時間間隔を短く設定する（Ｓ１０８）。
一方、Ｓ１０７の判定結果がＮｏの場合、マイクロコンピュータ２１１は、気象変化情報Ｂとして取得する時系列の気象情報の時間間隔を長く設定する（Ｓ１０９）。
【００５３】
Ｓ１０８又はＳ１０９の後は、図２Ｂに示したように、処理がＳ１１０及びＳ１１１へ分岐する。
Ｓ１１０では、マイクロコンピュータ２１１が、Ｓ１０４又はＳ１０６で取得された気象変化情報Ａを、お気に入り気象変化情報として登録、蓄積する。なお、この登録、蓄積は、例えば、気象変化情報Ａを記録媒体２１６に記録することにより行う。
【００５４】
Ｓ１１１及びＳ１１２では、マイクロコンピュータ２１１が、今現在以降の気象変化情報Ｂと、Ｓ１０４又はＳ１０６で取得された気象変化情報Ａとの大まかなマッチングを行う。
【００５５】
より詳しくは、まず、マイクロコンピュータ２１１が、Ｓ１０２で決定された検索対象位置を中心とする半径所定距離範囲内（以下、「検索対象地域内」という）の、今現在以降の所定期間における、Ｓ１０８又はＳ１０９で設定された時間間隔の時系列の気象情報である気象変化情報Ｂを、気象情報提供サーバー３から通信部２１０及びネットワーク２を介して取得する（Ｓ１１１）。ここで、所定距離は、ユーザの移動の容易性等を考慮して、例えば数十キロメートルとされる。また、所定期間は、気象情報提供サーバー３により提供される今現在以降の気象情報（所謂天気予報）の精度等を考慮して、例えば３日間とされる。なお、これらの所定距離及び所定期間は、ユーザによる操作部２１３の操作に応じて変更することもできる。
【００５６】
続いて、マイクロコンピュータ２１１の制御の下に、比較部２１９が、Ｓ１０４又はＳ１０６で取得された気象変化情報ＡとＳ１１１で取得された気象変化情報Ｂとを大まかに（長い時間間隔で）時系列に比較し、両者において一致又は類似する期間及び位置があるか否かを判定する（Ｓ１１２）。
【００５７】
Ｓ１１２の判定結果がＹｅｓの場合は、マイクロコンピュータ２１１の制御の下に、通知部２２０が、気象変化情報Ａが表す気象変化に一致又は類似する気象変化が発生する日時及び位置をユーザに通知する（Ｓ１１３）。これにより、Ｓ１０１で選択された撮影画像と同じような雰囲気の画像を撮影する機会がユーザに通知される。なお、このときにユーザに通知される位置は、例えば、ユーザ（カメラ１）の現在位置から最寄りの位置とされる。カメラ１の現在位置は、位置情報取得部２０９により取得される。
【００５８】
Ｓ１１３の後、マイクロコンピュータ２１１は、Ｓ１１３でユーザに通知された日時になると、リアルタイムに、今現在の気象変化情報Ｃと、Ｓ１０４又はＳ１０６で取得された気象変化情報Ａとの細かいマッチングを行う（Ｓ１１４及びＳ１１５）。
【００５９】
より詳しくは、まず、マイクロコンピュータ２１１が、カメラ１の現在位置における今現在の気象変化情報Ｃを、気象情報提供サーバー３から通信部２１０及びネットワーク２を介してリアルタイムに取得する（Ｓ１１４）。なお、この時点において、ユーザ（カメラ１）はＳ１１３で通知された位置に移動済みであり、その位置に居るものとする。
【００６０】
続いて、マイクロコンピュータ２１１の制御の下に、比較部２１９が、Ｓ１１４で取得された気象変化情報ＣとＳ１０４又はＳ１０６で取得された気象変化情報Ａとを細かく（短い時間間隔で）時系列にリアルタイムに比較し、両者が一致又は類似するか否かを判定する（Ｓ１１５）。
【００６１】
Ｓ１１５の判定結果がＹｅｓの場合は、マイクロコンピュータ２１１の制御の下に、通知部２２０が、Ｓ１０１で選択された撮影画像の撮影時の気象変化に一致又は類似する気象変化が発生するタイミングをユーザに通知する（Ｓ１１６）。これにより、Ｓ１０１で選択された撮影画像と同じような雰囲気の画像を撮影する機会がユーザに通知される。
【００６２】
一方、Ｓ１１５の判定結果がＮｏの場合には、処理がＳ１１４へ戻る。
Ｓ１１２の判定結果がＮｏの場合には、処理がＳ１１７及びＳ１２０へ分岐する。
Ｓ１１７では、マイクロコンピュータ２１１の制御の下に、通知部２２０が、検索対象地域内の今現在以降の所定期間において、Ｓ１０１で選択された撮影画像の撮影時までの気象変化（気象変化情報Ａが表す気象変化）に一致又は類似する気象変化が発生しないことをユーザに通知する。
【００６３】
Ｓ１１７の後、マイクロコンピュータ２１１は、現在日時がＳ１０２で決定された検索対象日時を過ぎたか否かを判定する（Ｓ１１８）。
Ｓ１１８の判定結果がＹｅｓの場合には、マイクロコンピュータ２１１の制御の下に、通知部２２０が、検索対象地域内における検索対象日時までの間に、Ｓ１０１で選択された撮影画像の撮影時までの気象変化（気象変化情報Ａが表す気象変化）に一致又は類似する気象変化が発生しないことをユーザに通知する（Ｓ１１９）。
【００６４】
一方、Ｓ１１８の判定結果がＮｏの場合には、今現在以降の所定期間経過後に、処理がＳ１１１へ戻る。
Ｓ１２０では、マイクロコンピュータ２１１が、今現在以降の気象変化情報Ｂとお気に入り気象変化情報との大まかなマッチングを行う。より詳しくは、マイクロコンピュータ２１１の制御の下に、比較部２１９が、Ｓ１１１で取得された気象変化情報Ｂと、登録、蓄積されているお気に入り気象変化情報とを大まかに（長い時間間隔で）時系列に比較し、気象変化情報Ｂに一致又は類似するお気に入り気象変化情報があるか否かを判定する。
【００６５】
Ｓ１２０の判定結果がＮｏの場合には、マイクロコンピュータ２１１の制御の下に、通知部２２０が、検索対象地域内における今現在以降の所定期間の気象変化（気象変化情報Ｂが表す気象変化）は、登録、蓄積されているお気に入り気象変化情報が表す気象変化に一致及び類似しないことをユーザに通知する（Ｓ１２１）。
【００６６】
一方、Ｓ１２０の判定結果がＹｅｓの場合には、マイクロコンピュータ２１１の制御の下に、通知部２２０が、気象変化情報Ｂに一致又は類似するお気に入り気象変化情報が表す気象変化に一致又は類似する気象変化が発生する日時及び位置を、ユーザに通知する（Ｓ１２２）。これにより、前回以前のＳ１０１で選択された撮影画像と同じような雰囲気の画像を撮影する機会がユーザに通知される。なお、このときにユーザに通知される位置は、例えば、ユーザ（カメラ１）の現在位置から最寄りの位置とされる。カメラ１の現在位置は、位置情報取得部２０９により取得される。
【００６７】
Ｓ１２２の後、マイクロコンピュータ２１１は、Ｓ１２２でユーザに通知された日時になると、リアルタイムに、今現在の気象変化情報Ｃと、気象変化情報Ｂに一致又は類似するお気に入り気象変化情報との細かいマッチングを行う（Ｓ１２３及びＳ１２４）。
【００６８】
より詳しくは、まず、マイクロコンピュータ２１１が、カメラ１の現在位置における今現在の気象変化情報Ｃを、気象情報提供サーバー３から通信部２１０及びネットワーク２を介してリアルタイムに取得する（Ｓ１２３）。なお、この時点において、ユーザ（カメラ１）はＳ１２２で通知された位置に移動済みであり、その位置に居るものとする。
【００６９】
続いて、マイクロコンピュータ２１１の制御の下に、比較部２１９が、Ｓ１２３で取得された気象変化情報Ｃと、気象変化情報Ｂに一致又は類似するお気に入り気象変化情報とを細かく（短い時間間隔で）時系列にリアルタイムに比較し、両者が一致又は類似するか否かを判定する（Ｓ１２４）。
【００７０】
Ｓ１２４の判定結果がＹｅｓの場合は、マイクロコンピュータ２１１の制御の下に、通知部２２０が、前回以前のＳ１０１で選択された撮影画像の撮影時の気象変化（気象変化情報Ｂに一致又は類似するお気に入り気象変化情報が表す気象変化）に一致又は類似する気象変化が発生するタイミングをユーザに通知する（Ｓ１２５）。これにより、前回以前のＳ１０１で選択された撮影画像と同じような雰囲気の画像を撮影する機会がユーザに通知される。
【００７１】
一方、Ｓ１２４の判定結果がＮｏの場合には、処理がＳ１２３へ戻る。
図３は、上述のＳ１１２の判定において行われる比較の一例を説明する図である。
図３において、撮影時の気象変化情報Ａは、７時から１５時までの１時間毎の気象情報を有する。より詳しくは、７時、８時、及び９時の天候が「晴れ」を示し、１０時及び１１時の天候が「雨」を示し、１２時及び１３時の天候が「曇り」を示し、１４時及び１５時の天候が「晴れ」を示す気象情報を有する。
【００７２】
今現在以降の気象変化情報Ｂは、７時から１５時までの１時間毎の気象情報を有する。より詳しくは、７時、８時、９時、及び１０時の天候が「晴れ」を示し、１１時の天候が「曇り」を示し、１２時の天候が「雨」を示し、１３時、１４時、及び１５時の天候が「晴れ」を示す気象情報を有する。
【００７３】
このような場合、気象変化情報Ａと気象変化情報Ｂとの比較は、例えば、次のような手順により行われる。
まず、各々の気象変化情報において、１時間毎の天候を、「晴れ」を２、「曇り」を１、及び「雨」を０として、数値に置き換える。
【００７４】
次に、各々の気象変化情報において、３時間毎に、その数値を合計する。
次に、各々の気象変化情報において、３時間毎の天候を次の条件に従って大局化する。
３時間毎の天候において、「雨」が１つ以上ある場合には「雨」とし、数値の合計値が５以上の場合には「晴れ」とし、それ以外の場合には「曇り」とする。
【００７５】
そして、各々が大局化された２つの気象変化情報を比較する。
このような手順によれば、気象変化情報Ａにおいて、７時、８時、及び９時の天候は「２」、「２」、及び「２」に数値化され、その合計値が５以上になることから、その３時間の天候が「晴れ」とされる。また、１０時、１１時、及び１２時の天候は雨を含むことから、その３時間の天候が「雨」とされる。また、１３時、１４時、及び１５時の天候は「１」、「２」、及び「２」に数値化され、その合計値が５以上になることから、その３時間の天候が「晴れ」とされる。
【００７６】
気象変化情報Ｂにおいて、７時、８時、及び９時の天候は「２」、「２」、「２」に数値化され、その合計値が５以上になることから、その３時間の天候が「晴れ」とされる。また、１０時、１１時、及び１２時の天候は雨を含むことから、その３時間の天候が「雨」とされる。また、１３時、１４時、及び１５時の天候は「２」、「２」、「２」に数値化され、その合計値が５以上になることから、その３時間の天候が「晴れ」とされる。
【００７７】
従って、大局化された２つの気象変化情報の各々が表す天候変化は、いずれも「晴れ」、「雨」、「晴れ」となるので、両者は一致することになる。
なお、このような比較の手順は、上述のＳ１２０の判定において行われる、気象変化情報Ｂとお気に入り気象変化情報との比較においても用いることができる。
【００７８】
図３に示した例では、数値化される天候として「晴れ」、「雨」、及び「曇り」を示したが、更に「雪」を加えてもよい。この場合は、「雪」も所定の数値に置き換えられて比較が行われる。
【００７９】
また、図３に示した例では、天候を数値化して比較を行う例を示したが、天候の代わりに、例えば、気温、降水量、湿度、風速、又は風向を数値化して比較を行うようにしてもよい。この場合は、例えば図４に示すような分類に従って数値化して比較を行うようにしてもよい。
【００８０】
図４は、数値化される項目とその分類の一例を示す図である。
図４において、例えば「気温[℃]」は、「〜０」、「１〜１０」、「１１〜２０」、「２１〜３０」、及び「３１〜」の５つの区分に分類され、該当する区分に応じて対応する数値へ置き換えられる。例えば気温が１５℃である場合、その１５℃は、「１１〜２０」の区分に該当し、その区分に対応する数値へ数値化される。
【００８１】
また、例えば「湿度（％）」は、「〜３０」、「３１〜５０」、「５１〜７０」、及び「７１〜」の４つの区分に分類され、該当する区分に応じて対応する数値へ置き換えられる。例えば湿度が６０％である場合、その６０％は、「５１〜７０」の区分に該当し、その区分に対応する数値へ数値化される。
【００８２】
あるいは、数値化される項目を、天候、気温、降水量、湿度、風速、及び風向のうちの２つ以上として比較を行うようにしてもよい。
以上のように、本実施形態によれば、ユーザが所望の撮影画像を選択して検索対象位置を指定すると、その検索対象位置周辺（検索対象地域内）において、ユーザが選択した撮影画像の撮影時前から撮影時までの気象変化に一致又は類似する気象変化が発生する日時及び位置をユーザに通知することができる。そして、通知された日時になると、その撮影画像の撮影時の気象変化に一致又は類似するタイミングをユーザに通知することができる。従って、ユーザは、通知された位置で通知されたタイミングに撮影を行うことによって、所望の撮影画像と同じような雰囲気の画像を撮影することができる。
【００８３】
また、本実施形態によれば、検索対象位置周辺（検索対象地域内）において、ユーザが選択した撮影画像の撮影時前から撮影時までの気象変化に一致又は類似する気象変化が発生しない場合には、以前にユーザが選択した所望の撮影画像の撮影時前から撮影時までの気象変化（お気に入り気象変化情報が表す気象変化）に一致又は類似する気象変化が発生する日時及び位置をユーザに通知することもできる。そして、通知された日時になると、その撮影画像の撮影時の気象変化に一致又は類似するタイミングをユーザに通知することもできる。従って、ユーザは、通知された位置で通知されたタイミングに撮影を行うことによって、以前に選択した所望の撮影画像と同じような雰囲気の画像を撮影することもできる。
【００８４】
なお、本実施形態においては、次のような変形を行うことができる。
例えば、ユーザがカメラ１を用いて撮影を行ったときに、その撮影により得られた撮影画像データに、撮影時前から撮影時までの気象変化情報が付帯されるようにしてもよい。この場合、その気象変化情報は、撮影日時及び撮影位置に基づいて、気象情報提供サーバー３から通信部２１０及びネットワーク２を介して取得されるようにしてもよい。ここで、撮影位置は、位置情報取得部２０９により取得される。
【００８５】
また、本実施形態に係る情報端末装置は、カメラに限らず、例えば、携帯電話機、ＰＨＳ（Personal Handyphone System）、ＰＤＡ（Personal Data Assistant）、スマートフォン（登録商標）、又はタブレット端末等の装置であってもよく、或いは、撮影機能を備えていない装置等であってもよい。
【００８６】
以上、上述した実施形態は、発明の理解を容易にするために本発明の具体例を示したものであり、本発明は上述の実施形態に限定されるものではない。本発明は、特許請求の範囲に規定された本発明の思想を逸脱しない範囲において、さまざまな変形、変更を行うことができる。
【符号の説明】
【００８７】
１            カメラ
２            ネットワーク
３            気象情報提供サーバー
１０          交換式レンズ
２０          カメラ本体
３０          Ｉ／Ｆ
１０１        撮影レンズ
１０２        絞り
１０３        ドライバ
１０４        マイクロコンピュータ
１０５        Ｆｌａｓｈメモリ
２０１        メカシャッタ
２０２        撮像素子
２０３        アナログ処理部
２０４        Ａ／Ｄ変換部
２０５        画像処理部
２０６        ＡＥ処理部
２０７        ＡＦ処理部
２０８        ＪＰＥＧ処理部
２０９        位置情報取得部
２１０        通信部
２１１        マイクロコンピュータ
２１２        Ｆｌａｓｈメモリ
２１３        操作部
２１４        ＳＤＲＡＭ
２１５        メモリＩ／Ｆ
２１６        記録媒体
２１７        モニタドライバ
２１８        モニタ
２１９        比較部
２２０      通知部
２２１      バス
２０５１    ＷＢ補正部
２０５２    同時化処理部
２０５３    階調補正処理部
２０５４    色再現処理部
２０５５    ＮＲ処理部
【図１】
2017220826.tif 000003
【図２Ａ】
2017220826.tif 000004
【図２Ｂ】
2017220826.tif 000005
【図３】
2017220826.tif 000006
【図４】
2017220826.tif 000007